(57)【特許請求の範囲】
【請求項１】
ＰＳＶＡ液晶ディスプレイパネルであって、カラーフィルム基板、アレイ基板、及びプローブバーを含み、
前記カラーフィルム基板は少なくとも第１ガラスベース、及び前記第１ガラスベースの一側に製造される共通電極層を含み、
前記アレイ基板は、前記カラーフィルム基板と対向して設置され、前記アレイ基板のうちの前記カラーフィルム基板を向く一側に、駆動回路、及び前記アレイ基板のエッジに近い少なくとも２つの配向モジュールが設置され、
各前記配向モジュールは少なくとも２本の配向配線を含み、各前記配向配線の入力端子に１つの金属接触パッドが接続され、前記配向配線の出力端子が前記駆動回路に接続され、同一の前記配向モジュールに属する前記配向配線が同一信号の配線であり、
前記プローブバーは、前記アレイ基板の一側に位置し、前記プローブバーの一側に少なくとも２つの針が設置され、前記針が対応する前記金属接触パッドに接触して接続され、
同一の前記配向モジュールに属する２つの前記金属接触パッド同士が導電金球によって接続され、且つ、２つの前記金属接触パッドが前記導電金球によって前記共通電極層に接続され、前記針が対応する前記配向モジュールのうちの一方の前記金属接触パッドに接触して接続され、異なる信号の前記金属接触パッドに対応する共通電極領域同士が絶縁して設置される、ＰＳＶＡ液晶ディスプレイパネル製造用セット。
【請求項２】
前記共通電極層がパターニングされた少なくとも２つの共通電極領域が形成され、前記共通電極領域が対応する前記金属接触パッドに接続される、請求項１に記載のＰＳＶＡ液晶ディスプレイパネル製造用セット。
【請求項３】
隣接する前記共通電極領域の間隔幅は３０ｕｍ〜３００ｕｍである、請求項２に記載のＰＳＶＡ液晶ディスプレイパネル製造用セット。
【請求項４】
前記駆動回路はデータ線、走査線及び共通線を含む、請求項１に記載のＰＳＶＡ液晶ディスプレイパネル製造用セット。
【請求項５】
前記データ線は赤色サブデータ線、緑色サブデータ線及び青色サブデータ線を含む、請求項４に記載のＰＳＶＡ液晶ディスプレイパネル製造用セット。
【請求項６】
前記アレイ基板の表面には、データ信号配向モジュール、走査信号配向モジュール及び共通信号配向モジュールが設置され、
前記データ信号配向モジュールは少なくとも２本のデータ信号配向線を含み、前記データ信号配向線が前記データ線に接続され、
前記走査信号配向モジュールは少なくとも２本の走査信号配向線を含み、前記走査信号配向線が前記走査線に接続され、
前記共通信号配向モジュールは少なくとも２本の共通信号配向線を含み、前記共通信号配向線が前記共通線に接続される、請求項４に記載のＰＳＶＡ液晶ディスプレイパネル製造用セット。
【請求項７】
前記データ信号配向モジュールは、赤色画素配向モジュール、緑色画素配向モジュール及び青色画素配向モジュールを含む、請求項６に記載のＰＳＶＡ液晶ディスプレイパネル製造用セット。
【請求項８】
前記共通電極層の膜厚は２００オングストローム〜１５００オングストロームである、請求項１に記載のＰＳＶＡ液晶ディスプレイパネル製造用セット。
【請求項９】
前記共通電極層の電極材料はＩＴＯ又はＩＺＯを採用する、請求項１〜８のいずれか一項に記載のＰＳＶＡ液晶ディスプレイパネル製造用セット。
【請求項１０】
ＰＳＶＡ液晶ディスプレイパネルであって、カラーフィルム基板、アレイ基板、及びプローブバーを含み、
前記カラーフィルム基板は少なくとも第１ガラスベース、及び前記第１ガラスベースの一側に製造される共通電極層を含み、
前記アレイ基板は、前記カラーフィルム基板と対向して設置され、前記アレイ基板のうちの前記カラーフィルム基板を向く一側に、駆動回路、及び前記アレイ基板のエッジに近い少なくとも２つの配向モジュールが設置され、
各前記配向モジュールは少なくとも２本の配向配線を含み、各前記配向配線の入力端子に１つの金属接触パッドが接続され、前記配向配線の出力端子が前記駆動回路に接続され、同一の前記配向モジュールに属する前記配向配線が同一信号の配線であり、
前記プローブバーは、前記アレイ基板の一側に位置し、前記プローブバーの一側に少なくとも２つの針が設置され、前記針が対応する前記金属接触パッドに接触して接続され、
同一の前記配向モジュールに属する２つの前記金属接触パッド同士が導電金球によって接続され、且つ、２つの前記金属接触パッドが前記導電金球によって前記共通電極層に接続され、前記針が対応する前記配向モジュールのうちの一方の前記金属接触パッドに接触して接続される、ＰＳＶＡ液晶ディスプレイパネル製造用セット。
【請求項１１】
前記共通電極層がパターニングされた少なくとも２つの共通電極領域が形成され、前記共通電極領域が対応する前記金属接触パッドに接続される、請求項１０に記載のＰＳＶＡ液晶ディスプレイパネル製造用セット。
【請求項１２】
隣接する前記共通電極領域の間隔幅は３０ｕｍ〜３００ｕｍである、請求項１１に記載のＰＳＶＡ液晶ディスプレイパネル製造用セット。
【請求項１３】
前記駆動回路はデータ線、走査線及び共通線を含む、請求項１０に記載のＰＳＶＡ液晶ディスプレイパネル製造用セット。
【請求項１４】
前記データ線は赤色サブデータ線、緑色サブデータ線及び青色サブデータ線を含む、請求項１３に記載のＰＳＶＡ液晶ディスプレイパネル製造用セット。
【請求項１５】
前記アレイ基板の表面には、データ信号配向モジュール、走査信号配向モジュール及び共通信号配向モジュールが設置され、
前記データ信号配向モジュールは少なくとも２本のデータ信号配向線を含み、前記データ信号配向線が前記データ線に接続され、
前記走査信号配向モジュールは少なくとも２本の走査信号配向線を含み、前記走査信号配向線が前記走査線に接続され、
前記共通信号配向モジュールは少なくとも２本の共通信号配向線を含み、前記共通信号配向線が前記共通線に接続される、請求項１３に記載のＰＳＶＡ液晶ディスプレイパネル製造用セット。
【請求項１６】
前記データ信号配向モジュールは、赤色画素配向モジュール、緑色画素配向モジュール及び青色画素配向モジュールを含む、請求項１５に記載のＰＳＶＡ液晶ディスプレイパネル製造用セット。
【請求項１７】
前記共通電極層の膜厚は２００オングストローム〜１５００オングストロームである、請求項１０に記載のＰＳＶＡ液晶ディスプレイパネル製造用セット。
【請求項１８】
前記共通電極層の電極材料はＩＴＯ又はＩＺＯを採用する、請求項１０〜１７のいずれか一項に記載のＰＳＶＡ液晶ディスプレイパネル製造用セット。
【発明の詳細な説明】
【技術分野】
【０００１】
本発明はディスプレイパネル製造分野に関し、特にＰＳＶＡ液晶ディスプレイパネルに関する。
【背景技術】
【０００２】
ＰＳ−ＶＡ技術では、液晶中に化学モノマーを添加する必要があり、配向プロセス中、化学モノマーが紫外線に照射されると、重合してｐｏｌｙｍｅｒ  ｂｕｍｐ（ポリマーバンプ）を形成して液晶を固定してプレチルト角を形成することに用いられる。ＰＳ−ＶＡの製造プロセスにおいては、基板に電圧シーケンスを印加し、液晶が電界の作用下で規則的に傾斜し、次に電圧を一定に維持するとともに、紫外線を照射し、化学モノマーを重合させ、液晶を固定してプレチルト角を形成する。
【０００３】
ＰＳＶＡ製品の場合、配向プロセスは一般に２種の方式を有する。Ａ．Ａｒｒａｙ  ｐｒｏｂｅ  ｃｕｒｉｎｇ（アレイ基板側の配向回路）においては、ｃｕｒｉｎｇ  ｐａｄ（金属接触パッド）がａｒｒａｙ（アレイ基板）側に設計され、電力印加ピン（Ｐｉｎ）がｃｕｒｉｎｇ  ｐａｄに接触し、パネルに電力を印加して配向する。Ｂ．ＣＦ  ｐｒｏｂｅ  ｃｕｒｉｎｇ（カラーフィルム基板側配向回路）においては、電力印加ピン（Ｐｉｎ）が直接ＣＦ基板に接触するため、Ａｒｒａｙ側にｃｕｒｉｎｇ  ｐａｄ設計がない。Ａｒｒａｙ側信号が金（Ａｕ）接着剤点によって電気信号をＡｒｒａｙにガイドする。
【０００４】
世代が上がるにつれて、６世代から８．５世代、さらに将来の１０．５世代に発展し、基板ごとに設計収納可能なｐａｎｅｌ（ディスプレイパネル）数が多くなる可能性があり、Ａｒｒａｙ  ｐｒｏｂｅ  ｃｕｒｉｎｇにおいては、各ｐａｎｅｌが１組のｃｕｒｉｎｇ  ｐａｄを有し、特にＧＯＡ（Ｇａｔｅ  ｏｎ  Ａｒｒａｙ）製品に対しては、Ｃｕｒｉｎｇ  ｐａｄの数がさらに多くなりうる。
【０００５】
また、配向時、同一信号のｐａｄは設計により接続することはできず、そうしなければ、Ａｒｒａｙ検出の検出漏れを招きやすく、品質不良を引き起こしてしまう。
【０００６】
以上の２つの点に鑑みると、検出に必要な治具Ｐｒｏｂｅ  ｂａｒ（プローブバー）に高いスペックを求め、Ｐｒｏｂｅ  ｂａｒが長すぎ、大きくなりすぎると、ｐｒｏｂｅ  ｂａｒ上のｐｉｎとｃｕｒｉｎｇ  ｐａｄとの接触不良を招きやすく、配向不良、画質低下を引き起こす。
【０００７】
上述のように、従来技術のＰＳ−ＶＡディスプレイパネルでは、液晶マザーボードに含まれるＰａｎｅｌの数がますます多くなり、配向回路に必要なｃｕｒｉｎｇ  ｐａｄの数が増加すると、各ｃｕｒｉｎｇ  ｐａｄが対応するＰｉｎによってＰｒｏｂｅ  ｂａｒと接続する必要があり、その結果、Ｐｉｎ数が増加し、Ｐｉｎとｃｕｒｉｎｇ  ｐａｄとの接続不良のリスクが増えてしまう。
【発明の概要】
【発明が解決しようとする課題】
【０００８】
本発明は、アレイ基板側の配向回路が同一信号のｃｕｒｉｎｇ  ｐａｄをグループ化してＰｉｎと接続することによって、Ｐｉｎ数を減少させ、ｃｕｒｉｎｇ  ｐａｄとＰｒｏｂｅ  ｂａｒとの接続を簡素化するＰＳＶＡ液晶ディスプレイパネルを提供することにより、各ｃｕｒｉｎｇ  ｐａｄが対応するＰｉｎによってＰｒｏｂｅ  ｂａｒと接続する必要があるため、Ｐｉｎ数が増加し、Ｐｉｎとｃｕｒｉｎｇ  ｐａｄとの接続不良のリスクが増大しうるという技術的課題を解決する。
【課題を解決するための手段】
【０００９】
上記課題を解決するために、本発明が提供する技術的手段は以下のとおりである。
【００１０】
本発明はＰＳＶＡ液晶ディスプレイパネルを提供し、カラーフィルム基板、アレイ基板、及びプローブバーを含み、前記カラーフィルム基板は少なくとも第１ガラスベース、及び前記第１ガラスベースの一側に製造される共通電極層を含み、前記アレイ基板は、前記カラーフィルム基板と対向して設置され、前記アレイ基板のうちの前記カラーフィルム基板を向く一側に、駆動回路、及び前記アレイ基板のエッジに近い少なくとも２つの配向モジュールが設置され、各前記配向モジュールは少なくとも２本の配向配線を含み、各前記配向配線の入力端子に１つの金属接触パッドが接続され、前記配向配線の出力端子が前記駆動回路に接続され、同一の前記配向モジュールに属する前記配向配線が同一信号の配線であり、前記プローブバーは、前記アレイ基板の一側に位置し、前記プローブバーの一側に少なくとも２つの針が設置され、前記針が対応する前記金属接触パッドに接触して接続され、同一の前記配向モジュールに属する２つの前記金属接触パッド同士が導電金球によって接続され、且つ、２つの前記金属接触パッドが前記導電金球によって前記共通電極層に接続され、前記針が対応する前記配向モジュールのうちの一方の前記金属接触パッドに接触して接続され、異なる信号の前記金属接触パッドに対応する共通電極領域同士が絶縁して設置される。
【００１１】
本発明の一好適実施例では、前記共通電極層がパターニングされた少なくとも２つの前記共通電極領域が形成され、前記共通電極領域が対応する前記金属接触パッドに接続される。
【００１２】
本発明の一好適実施例では、隣接する前記共通電極領域の間隔幅は３０ｕｍ〜３００ｕｍである。
【００１３】
本発明の一好適実施例では、前記駆動回路はデータ線、走査線及び共通線を含む。
【００１４】
本発明の一好適実施例では、前記データ線は赤色サブデータ線、緑色サブデータ線及び青色サブデータ線を含む。
【００１５】
本発明の一好適実施例では、前記アレイ基板の表面には、データ信号配向モジュール、走査信号配向モジュール及び共通信号配向モジュールが設置され、前記データ信号配向モジュールは少なくとも２本のデータ信号配向線を含み、前記データ信号配向線が前記データ線に接続され、前記走査信号配向モジュールは少なくとも２本の走査信号配向線を含み、前記走査信号配向線が前記走査線に接続され、前記共通信号配向モジュールは少なくとも２本の共通信号配向線を含み、前記共通信号配向線が前記共通線に接続される。
【００１６】
本発明の一好適実施例では、前記データ信号配向モジュールは、赤色画素配向モジュール、緑色画素配向モジュール及び青色画素配向モジュールを含む。
【００１７】
本発明の一好適実施例では、前記共通電極層の膜厚は２００オングストローム〜１５００オングストロームである。
【００１８】
本発明の一好適実施例では、前記共通電極層の電極材料はＩＴＯ又はＩＺＯを採用する。
【００１９】
本発明はさらにＰＳＶＡ液晶ディスプレイパネルを提供し、カラーフィルム基板、アレイ基板、及びプローブバーを含み、前記カラーフィルム基板は少なくとも第１ガラスベース、及び前記第１ガラスベースの一側に製造される共通電極層を含み、前記アレイ基板は、前記カラーフィルム基板と対向して設置され、前記アレイ基板のうちの前記カラーフィルム基板を向く一側に、駆動回路、及び前記アレイ基板のエッジに近い少なくとも２つの配向モジュールが設置され、各前記配向モジュールは少なくとも２本の配向配線を含み、各前記配向配線の入力端子に１つの金属接触パッドが接続され、前記配向配線の出力端子が前記駆動回路に接続され、同一の前記配向モジュールに属する前記配向配線が同一信号の配線であり、前記プローブバーは、前記アレイ基板の一側に位置し、前記プローブバーの一側に少なくとも２つの針が設置され、前記針が対応する前記金属接触パッドに接触して接続され、同一の前記配向モジュールに属する２つの前記金属接触パッド同士が導電金球によって接続され、且つ、２つの前記金属接触パッドが前記導電金球によって前記共通電極層に接続され、前記針が対応する前記配向モジュールのうちの一方の前記金属接触パッドに接触して接続される。
【００２０】
本発明の一好適実施例では、前記共通電極層がパターニングされた少なくとも２つの前記共通電極領域が形成され、前記共通電極領域が対応する前記金属接触パッドに接続される。
【００２１】
本発明の一好適実施例では、隣接する前記共通電極領域の間隔幅は３０ｕｍ〜３００ｕｍである。
【００２２】
本発明の一好適実施例では、前記駆動回路はデータ線、走査線及び共通線を含む。
【００２３】
本発明の一好適実施例では、前記データ線は赤色サブデータ線、緑色サブデータ線及び青色サブデータ線を含む。
【００２４】
本発明の一好適実施例では、前記アレイ基板の表面には、データ信号配向モジュール、走査信号配向モジュール及び共通信号配向モジュールが設置され、
前記データ信号配向モジュールは少なくとも２本のデータ信号配向線を含み、前記データ信号配向線が前記データ線に接続され、
前記走査信号配向モジュールは少なくとも２本の走査信号配向線を含み、前記走査信号配向線が前記走査線に接続され、
前記共通信号配向モジュールは少なくとも２本の共通信号配向線を含み、前記共通信号配向線が前記共通線に接続される。
【００２５】
本発明の一好適実施例では、前記データ信号配向モジュールは、赤色画素配向モジュール、緑色画素配向モジュール及び青色画素配向モジュールを含む。
【００２６】
本発明の一好適実施例では、前記共通電極層の膜厚は２００オングストローム〜１５００オングストロームである。
【００２７】
本発明の一好適実施例では、前記共通電極層の電極材料はＩＴＯ又はＩＺＯを採用する。
【００２８】
本発明の有益な効果は、以下のとおりである。従来のＰＳＶＡ液晶ディスプレイパネルに比べて、本発明に係るＰＳＶＡ液晶ディスプレイパネルは、アレイ基板側の配向回路が同一信号のｃｕｒｉｎｇ  ｐａｄをグループ化してＰｉｎと接続することによって、Ｐｉｎ数を減少させ、ｃｕｒｉｎｇ  ｐａｄとＰｒｏｂｅ  ｂａｒとの接続を簡素化し、それによって各ｃｕｒｉｎｇ  ｐａｄが対応するＰｉｎによってＰｒｏｂｅ  ｂａｒと接続する必要があるため、Ｐｉｎ数が増加し、Ｐｉｎとｃｕｒｉｎｇ  ｐａｄとの接続不良のリスクが増大しうるという技術的課題を解決する。
【図面の簡単な説明】
【００２９】
実施例又は従来技術の技術的手段をより明瞭に説明するために、以下、実施例又は従来技術の説明に使用される必要がある図面を簡単に説明する。明らかなように、以下説明される図面は単に発明のいくつかの実施例であり、当業者は、また、創造的な努力をせずに、これらの図面に基づきほかの図面を想到し得る。
【００３０】
【図１】図１は本発明に係るＰＳＶＡ液晶ディスプレイパネルの正面構造模式図である。
【図２ａ】図２ａは本発明に係るＰＳＶＡ液晶ディスプレイパネルの膜層構造模式図である。
【図２ｂ】図２ｂは本発明に係るＰＳＶＡ液晶ディスプレイパネルの別の膜層構造模式図である。
【発明を実施するための形態】
【００３１】
以下、各実施例の説明は、本発明を実施するための特定の実施例を例示することに用いられる添付図面を参照して行われる。本発明に言及される方向用語、例えば「上」、「下」、「前」、「後」、「左」、「右」、「内」、「外」、「側面」等は単に添付図面を参照する方向である。従って、使用される方向用語は本発明を説明及び理解するためのものであり、本発明を限定するためのものではない。図中、構造が類似するユニットは同一符号で示される。
【００３２】
本発明は、従来のＰＳＶＡ液晶ディスプレイパネルのアレイ基板側の配向回路では、各ｃｕｒｉｎｇ  ｐａｄが対応するＰｉｎによってＰｒｏｂｅ  ｂａｒと接続する必要があるため、Ｐｉｎ数が増加し、Ｐｉｎとｃｕｒｉｎｇ  ｐａｄとの接続不良のリスクが増大しうるという技術的課題に鑑みてなされ、本実施例は該欠陥を解決することができる。
【００３３】
図１に示すように、本発明に係るＰＳＶＡ液晶ディスプレイパネルはマザーボード１０１を含み、上記マザーボード１０１は少なくとも２つのサブディスプレイパネル１０２を含む。
【００３４】
上記サブディスプレイパネル１０２はカラーフィルム基板、及びアレイ基板を含み、上記カラーフィルム基板は少なくとも第１ガラスベース、及び上記第１ガラスベースの一側に製造される共通電極層を含み、上記アレイ基板は、上記カラーフィルム基板と対向して設置され、上記アレイ基板のうちの上記カラーフィルム基板を向く一側に、駆動回路、ＴＦＴ（Ｔｈｉｎ  Ｆｉｌｍ  Ｔｒａｎｓｉｓｔｏｒ、薄膜トランジスタ）デバイスアレイ、及び上記アレイ基板のエッジに近い少なくとも２つの配向モジュールが設置され、上記駆動回路は、上記ＴＦＴデバイスにデータ信号を伝送するためのデータ線、及び上記ＴＦＴデバイスに制御信号を伝送するための走査線を含み、上記走査線と上記データ線が異なる平面で垂直に交差して画素ユニットを形成する。
【００３５】
各上記配向モジュールは少なくとも２本の配向配線を含み、各上記配向配線の入力端子に１つの金属接触パッド１０６が接続され、上記配向配線の出力端子が上記駆動回路に接続され、同一の上記配向モジュールに属する上記配向配線は同一信号の配線である。
【００３６】
プローブバー１０７は、上記アレイ基板の一側に位置し、上記プローブバー１０７の一側に少なくとも２つの針１０８が設置され、上記針１０８が対応する上記金属接触パッド１０６に接触して接続され、上記プローブバー１０７は上記針１０８によって、配向信号を対応する配向モジュールに導入することができる。
【００３７】
同一の上記配向モジュールに属する２つの上記金属接触パッド１０６同士が導電金球によって接続され、且つ、２つの上記金属接触パッド１０６が上記導電金球によって上記共通電極層に接続され、上記針１０８が対応する上記配向モジュールのうちの一方の上記金属接触パッド１０６に接触して接続される。
【００３８】
各上記金属接触パッド１０６は一の文字状に配列され、同一信号の上記金属接触パッド１０６を１組とし、且つ各組の上記金属接触パッド１０６の表面に金属接着剤層１１０が塗布され、上記金属接着剤層１１０内に複数の上記導電金球が均等に分布していることによって並列する同一信号の上記金属接触パッド１０６同士を導通させる。同一組の上記金属接触パッド１０６が１つの上記針１０８に接続されるだけで、同一信号配向線の同時導通を実現できる。
【００３９】
上記導電金球の粒径は、上記カラーフィルム基板と上記アレイ基板との間隔の高さに近い。
【００４０】
上記ＰＳＶＡ基板の配向中、上記プローブバー１０７がイネーブル信号を与え、上記針１０８によって配向信号を対応する上記金属接触パッド１０６の入力端子に伝送し、上記金属接触パッド１０６の出力端子を介して、配向信号を接続された信号配向線に伝送する。また、上記金属接触パッド１０６が上記導電金球によって上記共通電極層に接続され、上記プローブバー１０７が配向信号を与えると同時に、信号の一部を上記共通電極層に伝送することにより、上記共通電極層と上記アレイ基板側画素電極との間で電位差を形成する。このように上記共通電極層と上記画素電極との間に位置する液晶分子のプレチルト角を形成し、最後に、液晶分子をＵＶ硬化して液晶偏向角度を固定する。
【００４１】
図２ａ、２ｂに示すように、本発明のＰＳＶＡ液晶ディスプレイパネルはアレイ基板２０１、金属接触パッド２０２、共通電極層２０３、及び金属接着剤層２０４を含む。上記金属接触パッド２０２は、上記アレイ基板２０１の表面に製造され、上記カラーフィルム基板は、上記アレイ基板２０１と対向して設置され、上記共通電極層２０３は、上記カラーフィルム基板の表面に製造され、上記金属接着剤層２０４は、上記金属接触パッド２０２と上記共通電極層２０３との間に位置する。上記金属接着剤層２０４内に導電金球２０５が所定の比率で均等に分布し、上記金属接触パッド２０２と上記共通電極層２０３との電気的接続を実現することに用いられる。上記導電金球のサイズはミクロンオーダーであり、実際のパネルのセルの厚さに対応する。上記金属接触パッドのサイズはミリメートルオーダーであり、１つの上記金属接触パッドの表面に５００〜１０００個の上記導電金球が分布している。
【００４２】
上記共通電極層２０３と上記画素電極との間で電位差を形成する必要があるため、上記共通電極層２０３と上記画素電極に異なる電圧を印加する必要がある。
【００４３】
異なる信号の上記金属接触パッド２０２に対応する共通電極領域同士が絶縁して設置されることで、異なる信号を単独で導入することを実現する。例えば、上記共通電極層２０３がパターニングされた少なくとも２つの上記共通電極領域が形成され、上記共通電極領域が対応する上記金属接触パッド２０２に接続される。
【００４４】
パターニング後の上記共通電極領域のうち、隣接する上記共通電極領域の間に隙間が存在し、上記アレイ基板２０１の表面での画素ユニットが上記隙間を避けて設置される。
【００４５】
例えば、上記共通電極層２０３は配向信号領域２０３１、ＧＯＡ信号領域２０３２、データ信号領域２０３３及び共通線信号領域２０３４を含み、上記アレイ基板側２０１に、上記配向信号領域２０３１に接触して接続される第１金属接触パッド２０２１、上記ＧＯＡ信号領域２０３２に接触して接続される第２金属接触パッド２０２２、上記データ信号領域２０３３に接触して接続される第３金属接触パッド２０２３、及び上記共通線信号領域２０３４に接触して接続される第４金属接触パッド２０２４が設置される。
【００４６】
例えば、隣接する上記共通電極領域の間隔幅は３０ｕｍ〜３００ｕｍである。
【００４７】
上記駆動回路はデータ線、走査線及び共通線を含み、上記データ線は赤色サブデータ線、緑色サブデータ線及び青色サブデータ線を含む。
【００４８】
上記アレイ基板２０１の表面には、データ信号配向モジュール、走査信号配向モジュール及び共通信号配向モジュールが設置され、そのうち、上記データ信号配向モジュールは少なくとも２本のデータ信号配向線を含み、上記データ信号配向線が上記データ線に接続され、上記走査信号配向モジュールは少なくとも２本の走査信号配向線を含み、上記走査信号配向線が上記走査線に接続され、上記共通信号配向モジュールは少なくとも２本の共通信号配向線を含み、上記共通信号配向線が上記共通線に接続される。
【００４９】
さらに、上記データ信号配向モジュールは、赤色画素配向モジュール、緑色画素配向モジュール及び青色画素配向モジュールを含み、上記赤色画素配向モジュールが上記赤色サブデータ線に対応して接続され、上記緑色画素配向モジュールが上記緑色サブデータ線に対応して接続され、上記青色画素配向モジュールが上記青色サブデータ線に対応して接続される。
【００５０】
上記共通電極層２０３の膜厚は２００オングストローム〜１５００オングストロームである。
【００５１】
上記共通電極層２０３の電極材料はＩＴＯ（Ｉｎｄｉｕｍ  Ｔｉｎ  Ｏｘｉｄｅｓ、酸化インジウムスズ半導体透明導電膜）又はＩＺＯ（ｉｎｄｉｕｍ−ｄｏｐｅｄ  ｚｉｎｃ  ｏｘｉｄｅ、インジウムドープ酸化亜鉛半導体透明導電膜）を採用する。
【００５２】
本発明の有益な効果は、以下のとおりである。従来のＰＳＶＡ液晶ディスプレイパネルに比べて、本発明に係るＰＳＶＡ液晶ディスプレイパネルは、アレイ基板２０１側配向回路が同一信号のｃｕｒｉｎｇ  ｐａｄをグループ化してＰｉｎと接続することによって、Ｐｉｎ数を減少させ、ｃｕｒｉｎｇ  ｐａｄとＰｒｏｂｅ  ｂａｒとの接続を簡素化することにより、各ｃｕｒｉｎｇ  ｐａｄが対応するＰｉｎによってＰｒｏｂｅ  ｂａｒと接続する必要があるため、Ｐｉｎ数が増加し、Ｐｉｎとｃｕｒｉｎｇ  ｐａｄとの接続不良のリスクが増大しうるという技術的課題を解決する。
【００５３】
前記のように、本発明を好適実施例により以上に開示したが、上記好適実施例は本発明を限定するためのものではなく、当業者であれば、本発明の精神及び範囲を逸脱せずに種々の変更や修飾を行うことができ、従って、本発明の保護範囲は特許請求の範囲に定められた範囲に準じる。
【符号の説明】
【００５４】
１０１  マザーボード
１０２  サブディスプレイパネル
１０６  金属接触パッド
１０６  配向モジュール
１０７  プローブバー
１０８  針
１１０  金属接着剤層
２０１  アレイ基板側
２０１  アレイ基板
２０２  金属接触パッド
２０２  配向モジュール
２０３  共通電極層
２０４  金属接着剤層
２０５  導電金球
２０２１  第１金属接触パッド
２０２２  第２金属接触パッド
２０２３  第３金属接触パッド
２０２４  第４金属接触パッド
２０３１  配向信号領域
２０３２  ＧＯＡ信号領域
２０３３  データ信号領域
２０３４  共通線信号領域
【図１】
0006989696.tif 000002
【図２ａ】
0006989696.tif 000003
【図２ｂ】
0006989696.tif 000004